(57)【要約】【課題】ユーザーが受信特性を改善したい時に、自動的に適切な受信機設定パラメータを検出、設定し、自動的に受信特性を改善することができる放送受信装置を提供する。【解決手段】デジタル放送受信手段と、選局したチャンネルの信号についてのオートゲインコントローラ制御レベルを検出する手段２６と、デジタル放送受信手段にて受信した信号の品位を検出する受信信号品質検出手段４５と、受信装置内部の制御パラメータを順次変化させて最適な設定パラメータを検出する手段と、ユーザーからの操作を受けて前記最適な設定パラメータを検出するモードに移行する手段と、検出した最適な設定パラメータを保存するメモリ２３とを具備する放送受信装置。【選択図】図１
2008085594.tif 000002
【特許請求の範囲】
【請求項１】
デジタル放送受信手段と、選局したチャンネルの信号についてのオートゲインコントローラ制御レベルを検出する手段と、前記デジタル放送受信手段にて受信した信号の品位を検出する受信信号品質検出手段と、受信装置内部の制御パラメータを順次変化させて最適な設定パラメータを検出する手段と、ユーザーからの操作を受けて前記最適な設定パラメータを検出するモードに移行する手段と、検出した最適な設定パラメータを保存するメモリとを具備したことを特徴とする放送受信装置。
【請求項２】
請求項１記載の放送受信装置において、
オートゲインコントローラ制御レベルの変化に応じた受信信号品質を取得する受信信号品質検出手段を具備しており、前記最適な設定パラメータを検出するモードに移行すると、オートゲインコントローラ制御レベルを所定のステップで変化させ、各設定値において前記受信信号品質検出手段により受信信号品質を取得し、最も信号品質の良くなるオートゲインコントローラ制御レベルを検出することを特徴とする放送受信装置。
【請求項３】
請求項１又は請求項２記載の放送受信装置において、
チューナに設定する中心周波数の変化に応じた受信信号品質を取得する受信信号品質検出手段を具備しており、前記最適な設定パラメータを検出するモードに移行すると、チューナに設定する中心周波数を一定のステップで変化させ、各設定値において前記受信信号品質検出手段により受信信号品質を取得し、最も信号品質の良くなる周波数を検出することを特徴とする放送受信装置。
【請求項４】
請求項１乃至請求項３のいずれか１項に記載の放送受信装置において、
チューナに入力する信号を減衰させる減衰手段と、チューナに入力する信号の信号減衰レベルの変化に応じた受信信号品質を取得する受信信号品質検出手段を具備しており、前記最適な設定パラメータを検出するモードに移行すると、信号減衰レベルを一定のステップで変化させ、各設定値において前記受信信号品質検出手段により受信信号品質を取得し、信号品質の良くなる前記減衰手段の設定を検出することを特徴とする放送受信装置。
【請求項５】
請求項１乃至請求項４のいずれか１項に記載の放送受信装置において、
地上デジタル放送受信時に、復調処理で行う高速フーリエ変換の窓位置の変化に応じた受信信号品質を取得する受信信号品質検出手段を具備しており、前記最適な設定パラメータを検出するモードに移行すると、復調処理で行う高速フーリエ変換の窓位置を一定のステップで変化させ、各設定値において前記受信信号品質検出手段により受信信号品質を取得し、最も信号品質の良くなる周波数を検出することを特徴とする放送受信装置。
【請求項６】
請求項１乃至請求項５のいずれか１項に記載の放送受信装置において、
前記受信信号品質検出手段は、受信信号の誤り率、受信信号電力対雑音比の少なくとも一方を測定し、信号品質を検出することを特徴とする放送受信装置。
【請求項７】
請求項１乃至請求項６のいずれか１項に記載の放送受信装置において、
ユーザーの選局時に、メモリに保存した最適な設定パラメータを読み出し、設定することを特徴とする放送受信装置。
【請求項８】
請求項１乃至請求項７のいずれか１項に記載の放送受信装置において、
ユーザーが視聴していないときに、自動的に前記最適な設定パラメータを検出するモードに移行することを特徴とする放送受信装置。
【発明の詳細な説明】
【技術分野】
【０００１】
本発明は、放送受信装置に関し、特にデジタル放送を受信する放送受信装置に関する。
【背景技術】
【０００２】
アンテナにより受信特性劣化の要因を自動的に判断し、ローカル発振器のフェーズノイズおよび寄生発振による受信特性劣化を自動的に改善する衛星デジタル放送受信装置に関し、以下のような従来例がある。
【０００３】
特許文献１によれば、デジタル放送受信装置は、Ｃ／Ｎ値算出手段と、フェーズノイズ量算出手段と、ビットエラーレート計測手段を備え、受信する際に、アンテナから伝送された受信信号をベースバンド信号に直交検波し、得られたベースバンド信号の位相マッピング信号点の半径方向の振れ幅の平均値を計測して受信信号のＣ／Ｎ値を算出し、またベースバンド信号の位相マッピング信号点の円周方向の振れ幅の平均値を計測して受信信号のフェーズノイズ量を算出し、さらにベースバンド信号を復調して得られたトランスポートストリームのビットエラーレートを計測し、これらの結果に基づいて、アンテナによる受信特性劣化の要因を判断して、この判断結果に基づいて、所定の対策モードを設定する技術が記載されている。
【特許文献１】特開２００５−３３６５２号公報
【発明の開示】
【発明が解決しようとする課題】
【０００４】
しかしながら、上述の装置のように、ＢＳ／ＣＳデジタル放送および地上デジタル放送の受信において、Ｃ／Ｎ値やエラーレート等の情報から受信劣化の根本となる原因を判断するのは困難である。また、受信劣化の要因を判断し、それに応じた対策を行うのでは、受信環境を改善できる可能性のある受信機設定パラメータを網羅することができない。すなわち、実際に設定可能なパターンでそれぞれ設定して受信特性を測定しなければ、最も受信特性の良くなる設定パターンの検出は困難である。さらに、劣化の要因を推定できなければ改善できないという問題を有している。また、受信劣化時に自動的に受信機設定パラメータを変化させて受信特性が改善するパラメータ設定を検出してしまうと、パラメータの調整中は逆に受信状態が劣化し、映像が出なくなる場合もあるため、ユーザーの視聴中に自動的に行うのではなく、必要なときに適切なタイミングで行わなければならない。
【０００５】
本発明は、そのような状況に鑑みてなされたもので、ユーザーが受信特性を改善したい時に、自動的に適切な受信機設定パラメータを検出、設定し、自動的に受信特性を改善することができる放送受信装置を提供することを目的とする。
【課題を解決するための手段】
【０００６】
本発明は、こうした課題を解決するための手段を提供するもので、各発明は、以下の技術手段を構成する。
上記課題を解決するために、第１の発明の放送受信装置は、デジタル放送受信手段と、選局したチャンネルの信号についてのオートゲインコントローラ制御レベルを検出する手段と、デジタル放送受信手段にて受信した信号の品位を検出する受信信号品質検出手段と、受信装置内部の制御パラメータを順次変化させて最適な設定パラメータを検出する手段と、ユーザーからの操作を受けて前記最適な設定パラメータを検出するモードに移行する手段と、検出した最適な設定パラメータを保存するメモリとを具備したことを特徴とする。
【０００７】
また、第２の発明は、第１の発明の放送受信装置において、オートゲインコントローラ制御レベルの変化に応じた受信信号品質を取得する受信信号品質検出手段を具備しており、前記最適な設定パラメータを検出するモードに移行すると、オートゲインコントローラ制御レベルを所定のステップで変化させ、各設定値において前記受信信号品質検出手段により受信信号品質を取得し、最も信号品質の良くなるオートゲインコントローラ制御レベルを検出することを特徴とする。
【０００８】
そして、第３の発明は、第１又は第２の放送受信装置において、チューナに設定する中心周波数の変化に応じた受信信号品質を取得する受信信号品質検出手段を具備しており、前記最適な設定パラメータを検出するモードに移行すると、チューナに設定する中心周波数を一定のステップで変化させ、各設定値において前記受信信号品質検出手段により受信信号品質を取得し、最も信号品質の良くなる周波数を検出することを特徴とする。
【０００９】
更に、第４の発明は、第１１乃至第３の発明のいずれか１の放送受信装置において、チューナに入力する信号を減衰させる減衰手段と、チューナに入力する信号の信号減衰レベルの変化に応じた受信信号品質を取得する受信信号品質検出手段を具備しており、前記最適な設定パラメータを検出するモードに移行すると、信号減衰レベルを一定のステップで変化させ、各設定値において前記受信信号品質検出手段により受信信号品質を取得し、信号品質の良くなる前記減衰手段の設定を検出することを特徴とする。
【００１０】
また、第５の発明は、第１乃至第４の発明のいずれか１の放送受信装置において、地上デジタル放送受信時に、復調処理で行う高速フーリエ変換の窓位置の変化に応じた受信信号品質を取得する受信信号品質検出手段を具備しており、前記最適な設定パラメータを検出するモードに移行すると、復調処理で行う高速フーリエ変換の窓位置を一定のステップで変化させ、各設定値において前記受信信号品質検出手段により受信信号品質を取得し、最も信号品質の良くなる周波数を検出することを特徴とする。
【００１１】
そして、第６の発明は、第１１乃至第５の発明のいずれか１の放送受信装置において、前記受信信号品質検出手段は、受信信号の誤り率、受信信号電力対雑音比の少なくとも一方を測定し、信号品質を検出することを特徴とする。
【００１２】
更に、第７の発明は、第１乃至第６の発明のいずれか１の放送受信装置において、ユーザーの選局時に、メモリに保存した最適な設定パラメータを読み出し、設定することを特徴とする。
【００１３】
また、第８の発明は、第１乃至第７の発明のいずれか１の放送受信装置において、ユーザーが視聴していないときに、自動的に前記最適な設定パラメータを検出するモードに移行することを特徴とする。
【発明の効果】
【００１４】
上記にて説明された本発明により、以下の効果がもたらされる。
デジタル放送視聴中にブロックノイズが発生するなど、ユーザーが不満を感じたときに調整するため、映像の乱れ等を考慮する必要がない。また、調整可能な各パラメータを順次設定してはBER、C/Nといった受信状態情報を検出するため、調整範囲が幅広く、最も受信特性が良くなる設定パターンを検出できる可能性が高くなる。従って、サービスマンが対応する以前にユーザー自身で問題を解決できる可能性が高くなり、受信不良のユーザークレームを減少させることができる。
【発明を実施するための最良の形態】
【００１５】
本発明を実施するための最良の形態を説明する。
本発明の放送受信装置の実施形態の一例について、図１乃至図３に基づいて、以下に説明する。
【００１６】
図１の受信システムにおいて、アンテナ１は、所定の方向に向けて配置されており、放送波を受信し、この受信信号をチューナ部に入力する。アンテナ１より受信した信号は、まずプリアンプ１０によって増幅された後、第１のＢＰＦ（帯域通過フィルタ）１１、ＲＦＶＧＡ（可変利得アンプ）１２、ミキサ１３、第２のＢＰＦ１５、ＩＦアンプ１６を通過してＩＦ信号として出力される。ＩＦアンプ出力はレベル検波回路２５に入力され、ＩＦ出力振幅レベルに応じたＤＣ電圧が出力される。電圧制御手段２６は、レベル検波回路２５から出力された信号をゲイン制御する。ＩＦ  ＡＧＣ１７によりゲイン制御された信号は、Ａ／Ｄコンバータ１８によりＡＤ変換され、復調回路１９によって復調され、ＦＥＣ２０によって誤り訂正処理された後、ＴＳとして出力される。
【００１７】
受信状態情報検出手段４５は、復調回路１９などの出力に基づいて、Ｃ／Ｎ（Carrier to Noise ratio）、ビット誤り率などの受信品位を検出するものである。受信機に設定するパラメータ情報は、チャンネルごとに記憶手段２３に保存する。
【００１８】
デジタル放送の受信においては、弱電力、強電力、降雨による減衰、マルチパス、同一チャンネル妨害、隣接チャンネル妨害等、様々な要因で受信特性が変化する。従って、特定のチャンネルが受信できない、映像が乱れる等の受信障害が発生する。このような場合、受信機の機能としてメニューあるいはリモコンで受信特性改善機能を付加しておくことで、ユーザーはサービスマンに連絡する前に受信特性改善を試みることができる。
【００１９】
図２は最適パラメータ検出モードに入ったときの処理手順である。ユーザーの操作によって受信特性改善のシーケンスに入ると、第１のステップ（Ｓ１）として、オートゲインコントローラ（ＲＦ  ＡＧＣおよびＲＦ  ＡＧＣ）を所定のステップで変化させ、受信状態情報検出手段４５により各ステップにおけるビット誤り率およびＣ／Ｎを検出する。このとき、ステップごとに信号の増幅率が変化するため、通常は自動的にＡＧＣを制御しているが、最適に制御されていない場合に、最適な増幅レベルを検出することができる。最適な増幅レベルは、受信状態情報検出手段４５により検出した、ＢＥＲが最も小さくなるレベル、あるいは受信Ｃ／Ｎが最も高くなるレベルとして検出し、記憶手段２３に最適パラメータとして保存する。
【００２０】
前記第１のステップ（Ｓ１）として、最適なＡＧＣ制御レベルを検出した後、第２のステップ（Ｓ２）としてチューナに設定する中心周波数を所定のステップで変化させ、受信状態情報検出手段４５により各ステップにおけるビット誤り率およびＣ／Ｎを検出する。このとき、選局周波数にオフセットが生じるため、受信した信号の周波数がずれている場合や、一方の隣接チャンネルの電力が強く、この妨害による影響を強く受けている場合に最適な周波数オフセット値を検出することができる。最適な周波数オフセット値は、受信状態情報検出手段４５により検出した、ＢＥＲが最も小さくなるレベル、あるいは受信Ｃ／Ｎが最も高くなる値として検出し、記憶手段２３に最適パラメータとして保存する。
【００２１】
次に、第３のステップ（Ｓ３）として、信号減衰器２（アッテネータ）の減衰量を所定のステップで変化させ、受信状態情報検出手段４５により各ステップにおけるビット誤り率およびＣ／Ｎを検出する。このとき、チューナに入力する信号レベルが変化するため、受信信号レベルが強い場合に有効となるアッテネータ機能の最適な減衰レベルを検出することができる。最適な減衰レベルは、受信状態情報検出手段４５により検出した、ＢＥＲが最も小さくなるレベル、あるいは受信Ｃ／Ｎが最も高くなる値として検出し、記憶手段２３に最適パラメータとして保存する。
【００２２】
次に、第４のステップ（Ｓ４）として、現在最適パラメータを検出している信号が地上デジタル放送かどうかを判定し、地上デジタル放送であった場合は、ＦＦＴ窓位置を所定のステップで変化させ、受信状態情報検出手段４５により各ステップにおけるビット誤り率およびＣ／Ｎを検出する。このとき、復調過程におけるＦＦＴの窓位置が変化するため、マルチパス環境下で最適な窓位置を検出することができる。最適なＦＦＴ窓位置は、受信状態情報検出手段４５により検出した、ＢＥＲが最も小さくなるレベル、あるいは受信Ｃ／Ｎが最も高くなる値として検出し、記憶手段２３に最適パラメータとして保存する（Ｓ５）。
【００２３】
次に、これまでのステップで求めた各最適なパラメータのうち、最も受信特性の良くなる設定値を検出する（Ｓ６）。デフォルト（最適パラメータ検出モード移行前）の状態において、検出した各パラメータを設定したときに受信状態情報検出手段４５により取得したそれぞれのビット誤り率、Ｃ／Ｎ情報より、最も受信特性の良くなる設定値のみを有効にする。あるいは、各最適パラメータの設定を有効にした場合とデフォルトにした場合で、最も受信特性の良くなる設定値の組み合わせを検出してもよい。
【００２４】
最も受信特性の良くなる設定値の組み合わせ検出方法の例を図３に示す。図３において、パラメータ１、２、３、４は、それぞれＡＧＣの最適値、周波数オフセットの最適値、信号減衰レベルの最適値、ＦＦＴ窓位置の最適値を示す。表中の設定値は、０がデフォルト設定、すなわち最適パラメータ検出モード移行前の設定、１が設定変更、すなわち前記最適パラメータとして検出した設定値を設定する。設定パターン１から設定パターン１６まで順次設定し、各設定パターンにおいて受信状態情報検出手段４５によりビット誤り率、Ｃ／Ｎ情報を取得し、最も受信状態が良くなる設定パターンを検出することで、最適パラメータの設定パターンを決定し、記憶手段２３に保存する。
【００２５】
以上のようにして記憶手段２３にはチャンネルごとに最適パラメータの設定値が保存される。選局時には、記憶手段２３に保存した設定値を読み出し、設定することで、最も受信状態の良くなる設定で選局することができる。
【００２６】
最適パラメータの検出は、各制御パラメータを順次変化させて最も受信特性の良くなる設定を検出するため、不適切な設定にした場合は映像が途切れる可能性がある。そのため、ユーザー操作により前記最適パラメータの検出モードに移行することを述べた。その他の最適パラメータ検出モードへの移行タイミングとして、ユーザーが視聴していないときに移行することができる。すなわち、電源をＯＦＦにした直後に移行し、最適パラメータの検出処理が完了するまでの間、通電制御を行い、処理完了後に電源ＯＦＦにすることや、複数の復調部（チューナ）を搭載している場合に使用していないデバイスを用いること、地上デジタル放送、ＢＳ／ＣＳデジタル放送、地上アナログ放送のうち、現在視聴していないネットワークの復調部を用いて自動的に最適な設定パラメータを検出することが可能である。
【図面の簡単な説明】
【００２７】
【図１】本発明の放送受信装置の一実施形態例を示す機能ブロック図である。
【図２】最適パラメータ検出モードに入ったときの処理手順を示すフローである。
【図３】最も受信特性の良くなる設定値の組み合わせ検出方法の一例である。
【符号の説明】
【００２８】
１  アンテナ
２  減衰器（アッテネータ）
１０  プリアンプ
１１  第１の帯域通過フィルタ
１２  ＲＦ  ＶＧＡ
１３  ミキサ
１４  ＯＳＣ
１５  第２の帯域通過フィルタ
１６  ＩＦアンプ
１７  ＩＦ  ＡＧＣ
１８  Ａ／Ｄコンバータ
１９  復調回路
２０  ＦＥＣ
２３  記憶手段
２５  レベル検波器
２６  電圧制御手段
２７  ＩＦ  ＡＧＣ
４５  受信状態情報検出手段
【図１】
2008085594.tif 000003
【図２】
2008085594.tif 000004
【図３】
2008085594.tif 000005